(57)【特許請求の範囲】
【請求項１】
一端に收束部１１が形成され、もう一端に指保持部１２が形成され、内部に収納室１３が形成され、收束部１１の内部に、孔径が収納室の孔径より小さい、収納室に連通する突出穴１４が設けられ、該突出穴１４において、収納室１３の方向へ向けて拡大傾斜するラッパ状の開口１４１が形成された中空な円筒体の注射筒１０と、
前記ラッパ状の開口部１４１に隣接した壁面に形成された環状の係合凹部１５に装着されるＯリング３４と、
直線的に移動できるように、注射筒１０の収納室１３に挿設され、一端に該注射筒１０の収納室１３の内壁に緊密に当接しながら摺動できる弾性ピストン２５が設けられ、該弾性ピストン２５の一側にほぞ２４が設けられ、もう一端に指押圧部２２が形成された押圧レバー２０と、
前記注射筒１０内に挿入されるゴム材質からなる接合スリーブ３３を有し、該接合スリーブ３３には軸方向に貫通する収納部が形成され、接合スリーブ３３の上部には先端部に針３１が装着された針ベース３２が設けられると共に、底端には傾斜突設部３３２が形成され、該傾斜突設部３３２の最大半径が注射筒１０の収納室１３の半径より小さく、該傾斜突設部３３２の底端に、外縁から下へ伸びる突片部３３８が形成され、前記接合スリーブ３３が突出穴１４に嵌入されると、傾斜突設部３３２の底面がラッパ状の開口１４１に一致し突出部が収納室１３に露出してなり、注射終了状態では前記弾性ピストン２５に当接する針セットと、
とからなり、前記前記針セットは、針３１と針ベース３２と接合スリーブ３３が組み合わされて構成されており、前記針３１は、前記針ベース３２に固定されていると共に、前記針ベース３２には拡径の円形係合リング３２１が形成されており、針ベース３２の係合リング３２１の下方には、接合スリーブ３３と螺合するための雄ねじ３２２が設けられていることを特徴とする安全注射器。
【請求項２】
前記傾斜突設部は、底面の近くにある壁縁に前記ほぞに合わせて、中へ突出する係合部が設けられていることを特徴とする請求項１に記載の安全注射器。
【発明の詳細な説明】
【技術分野】
【０００１】
本発明は、注射器に関し、特に、１回使用したら二度と再使用が出来ないようにした安全注射器に関する。
【背景技術】
【０００２】
現在、使われている安全注射器は、注射後、注射針が注射筒の中に引き戻されるようになっているもので、例えば、台湾特許第Ｍ２６２１９５号『安全注射器』がある。この特許の安全注射器は、主として、注射針が挿設される針ベースと接合スリーブとが互いに螺合され、また、接合スリーブの底縁に錐形状の穴が形成され、穴の周縁に係合装置が設けられ、そして、接合スリーブの一側において、下へ垂直する突出部が伸ばされることにより、俾利、液押しプランジャーの先端の錐形状である突出柱が錐形状の穴に突入し、係合装置に係止されて位置付けられる時、突出部が弾性ピストンに当接し、また、液押しプランジャーが引き戻されることにより、針セットが注射筒の中に内蔵される時、弾性ピストンにより突出部が付勢され、針セットが自動的に偏移状態になり、これにより、１回しか使えない目的が実現される。
【０００３】
しかし、上記の従来の安全注射器の構造設計には、至急に改善されなければならない所がある。
このような従来技術の注射器の接合スリーブの底縁にあるベース部はＯリングで、注射筒の内壁面に当接しているため、引き戻された時に、当該突出部が完全に所定の距離に偏移する機能が実現できない。その理由としては、主として、接合スリーブの底縁がＯリングに制限されて注射筒の内壁面に当接しているため、針セット構造全体を注射筒内で偏移させるための空間がなく、図５Ｃのように完全に偏移する、という目的が実現できない。
【０００４】
また、突出穴部に嵌入される接合スリーブは、底端にある外縁へ拡大していくベース部が注射筒の内部に当接固定するが、そのため、ベース部が注射筒の収納室へ露出することにより、薬液を貯蔵しておくための注射筒の容量が少なくなると共に、薬液量を正確に制御できない。
【特許文献１】台湾特許第Ｍ２６２１９５号『安全注射器』
【発明の開示】
【発明が解決しようとする課題】
【０００５】
本発明は、上記の安全注射器に残されている技術課題を解決できるようにした安全注射器を提供する。
【課題を解決するための手段】
【０００６】
本発明における請求項１の発明における安全注射器は、一端に收束部１１が形成され、もう一端に指保持部１２が形成され、内部に収納室１３が形成され、收束部１１の内部に、孔径が収納室の孔径より小さい、収納室に連通する突出穴１４が設けられ、該突出穴１４において、収納室１３の方向へ向けて拡大傾斜するラッパ状の開口１４１が形成された中空な円筒体の注射筒１０と、
前記ラッパ状の開口部１４１に隣接した壁面に形成された環状の係合凹部１５に装着されるＯリング３４と、
直線的に移動できるように、注射筒１０の収納室１３に挿設され、一端に該注射筒１０の収納室１３の内壁に緊密に当接しながら摺動できる弾性ピストン２５が設けられ、該弾性ピストン２５の一側にほぞ２４が設けられ、もう一端に指押圧部２２が形成された押圧レバー２０と、
前記注射筒１０内に挿入されるゴム材質からなる接合スリーブ３３を有し、該接合スリーブ３３には軸方向に貫通する収納部が形成され、接合スリーブ３３の上部には先端部に針３１が装着された針ベース３２が設けられると共に、底端には傾斜突設部３３２が形成され、該傾斜突設部３３２の最大半径が注射筒１０の収納室１３の半径より小さく、該傾斜突設部３３２の底端に、外縁から下へ伸びる突片部３３８が形成され、前記接合スリーブ３３が突出穴１４に嵌入されると、傾斜突設部３３２の底面がラッパ状の開口１４１に一致し突出部が収納室１３に露出してなり、注射終了状態では前記弾性ピストン２５に当接する針セットと、
とからなり、前記前記針セットは、針３１と針ベース３２と接合スリーブ３３が組み合わされて構成されており、前記針３１は、前記針ベース３２に固定されていると共に、前記針ベース３２には拡径の円形係合リング３２１が形成されており、針ベース３２の係合リング３２１の下方には、接合スリーブ３３と螺合するための雄ねじ３２２が設けられていることを特徴とする。
請求項２の発明は、請求項１に記載の安全注射器において、前記傾斜突設部は、底面の近くにある壁縁に前記ほぞに合わせて、中へ突出する係合部が設けられていることを特徴とする。
【発明の効果】
【０００７】
本発明の効果は、次のようである。
１．本発明によれば、傾斜突設部の最大半径が注射筒の収納室の半径より小さいため、接合スリーブが注射筒の中へ引き戻された時、傾斜突設部の底縁が注射筒の内壁と所定の距離を保持できることにより、偏移の目的が確実に達成される。
２．本発明によれば、接合スリーブの傾斜突設部が、注射筒上部の突出穴の下方に形成されたラッパ状の開口と一致係合することにより、接合スリーブが注射筒の内部の収納室の薬液収納空間を占有することがない。
３．本発明によれば、Ｏリングが、直接に傾斜突設部の上方に位置付けられて、突出穴の壁面に当接することにより、薬液の外漏や位置付けの目的が実現される。
４．本発明によれば、前記針３１は、前記針ベース３２に固定されていると共に、前記針ベース３２には拡径の円形係合リング３２１が形成されており、針ベース３２の係合リング３２１の下方には、接合スリーブ３３と螺合するための雄ねじ３２２が設けられていることで、針セットの結合が確実となり、注射筒との安定的結合が強化される効果がある。
【発明を実施するための最良の形態】
【０００８】
以下、本発明の注射器について図面と共に説明する。図１は本発明の安全注射器の第１実施例を示す一部切欠き分解斜視図、図２は本発明の安全注射器の断面図で、図２Ａの部分は接合スリーブの底端にある斜錐面の断面図、図３は本発明の使用時の断面図、図４は本発明の針セットが引き戻される状態の断面図、図５は本発明の針セットが底端まで引き戻される時の偏移状態の要部切欠き断面図、図６は本発明に係わる第２の実施例の要部断面図、図７は本発明に係わる第２実施例の接合スリーブの外観斜視図である・
【実施例１】
【０００９】
本発明の安全注射器は、図１のように、注射筒１０と、押圧レバー２０と、針３１が配設される針ベース３２と接合スリーブ３３とから構成される小さい針セットと、針セットに被せられる蓋体３５から構成される。
中空の注射筒１０は、その一端に、やや先端につれて縮径になる收束部１１が形成され、他端部には、注射筒１０よりも拡張して形成された指保持部１２が設けられている。また、注射筒１０の胴部の内部は収納室１３が形成されていて、注射筒１０の收束部１１の内側には、収納室１３に連通する、上方に向かって徐々に縮径し、下方に向かっては徐々に拡大し、最大径がラッパ状の開口１４１に終端する円柱状の突出穴１４が設けられている。
【００１０】
そして、このラッパ状の開口１４１と収納室１３の上端部とが連続され、円柱状の突出穴１４が、収納室１３の方向へ向かって傾斜したラッパ状の開口１４１に拡大し、該突出穴１４が、該ラッパ状の開口１４１の拡径により、 全体的に“漏斗”状に形成されている。また、突出穴１４とラッパ状の開口１４１との隣接壁面には環状の係合凹部１５が形成されている。
前記押圧レバー２０は、レバー体２１と、その末端に配設された拡大状の指による押圧部２２と、その先端に互いに離間状態に連結された複数の円盤状の結合部２３とから構成され、結合部２３の先端からほぞ２４が突設伸長している。そして、弾性ピストン２５が前記ほぞ２４を貫通して設置され、結合部２３と結合される、押圧レバー２０は、注射筒１０の収納室１３に可動に挿設され、収納室１３の中で直線的に往復摺動できるようになっている。
【００１１】
前記針セットは、針３１と針ベース３２とから成る針に接合スリーブ３３が組み合わされて構成されている。
前記針３１は、針ベース３２に固定されている。蓋体３５が針体に冠せられたとき当接面となるように、針ベース３２には適所に拡径の円形係合リング３２１が形成されている。針ベース３２の係合リング３２１の下方には、接合スリーブ３３と螺合するための雄ねじ３２２が設けられている。
【００１２】
接合スリーブ３３が、収納室１３から突出穴１４方向へ嵌入されてゆく。接合スリーブ３３と突出穴１４との接合密着性を実現するために、接合スリーブ３３は円筒状結合部３３１と該円筒状結合部３３１の下端に下方に向けて傾斜面が形成された鍔状の傾斜突設部３３２とを有し、その全体形状は突出穴１４に対応するように漏斗状に設計されている。
前記接合スリーブ３３には、更に、円筒状結合部３３１と、最大半径が、注射筒の収納室１３の半径より小さい傾斜突設部３３２とが接合した外縁に、口径がやや小さい環状凹槽３３３が形成されている。環状凹槽３３３の中にはゴム製のＯリング３４が嵌設されるようになり、これにより、接合スリーブ３３が突出穴１４に嵌入された時、Ｏリング３４の外径が、突出穴１４の壁面に環設される係合凹部１５に当接し、これにより、接合スリーブ３３と突出穴１４との間の結合強度が強化されて、接合スリーブ３３が注射筒１０から脱離することを防止する効果が得られるようになる。
【００１３】
図２，図３を参照しながら、本発明の安全注射器の内部構成について更に詳細に説明する。
前記接合スリーブ３３の軸方向には、内部を貫通して傾斜突設部３３２へと連通する収納部３３４が形成されている。収納部３３４の底面には、複数の等間隔に円弧状に配置された係合機構Ｂが設置され、その内部周面に上方へ徐々に縮径する錐形状穴Ａが形成されている。係合機構Ｂには、錐形状穴Ａの壁縁から内方へ突出する係合部３３５が設けられ、係合部３３５の中間に、貫通穴３３６が形成されている。
【００１４】
図２Ａのように、注射器を使用する場合、ほぞ２４が錐形状穴Ａに嵌入されると、スムーズに貫通穴３３６に貫通して係合部３３５と係合状態になり、更に、やや弾性を有するほぞ２４が貫通穴３３６を介して収納部３３４へと収納されると、ほぞ２４の弾性が回復して拡径されるようになるので、貫通穴を逆戻りして再び引き出されるようなことが出来なくなる。
【００１５】
円筒状結合部３３１の内側内部に位置する収納部３３４の壁面には、針ベース３２の雄ねじ３２２と螺合するための雌ねじ３３７が螺設されている。
傾斜突設部３３２の底面の外周縁には、下方に伸長している突片部３３８が予めに一体的に形成されている。突片部３３８は、常時、収納室１３側に突出しており、押圧レバー２０が完全に押し入れられた場合、押圧レバー２０の先端にある弾性ピストン２５が、突片部３３８に弾性的に当接するようになる。
【００１６】
本発明の安全注射器は上記構造を有するので、以下の構造的効果が得られる。
傾斜突設部３３２の最大半径が注射筒１０の収納室１３の半径より小さいため、注射器の使用後注射針が引き戻されたとき、傾斜突設部３３２の底縁が注射筒１０の内壁に対して所定距離を維持されるため、使用済の針セットが注射筒内で確実に偏移されるという効果を実現できる。
【００１７】
前記傾斜突設部３３２の形状は収納室１３と突出穴１４とが接合した所の係合縁に一致しているので、接合スリーブ３３の底端にある傾斜突設部３３２が突出穴１４の底端のラッパ状の開口１４１に嵌合された場合、傾斜突設部３３２から下方に伸長する突出部３３８だけが収納室１３内に露出した状態になるのを除けば接合スリーブ３３は全ての部位が突出穴１４に収納されるようになる。この新規な設計により、収納室１３の薬液貯蔵空間が大きく取れるようになる。
【００１８】
また、図３のように、押圧レバー２０が前方へ押されて特定位置に到着するまで押し付けられると、押圧レバー２０の上部のほぞ２４が貫通穴３３６を通過して収納部３３４に収納され、係合部３３５の上端面と係合状態になる。また、押圧レバー２０の先端に位置する弾性ピストン２５は、収納室の突出部３３８に対して抵触状態になり、やや変形する。
【００１９】
そして、図５のように、押圧レバー２０が引き戻されると、針セットも連動して突出穴１４から脱離し、針セットは、図５のように、注射筒の収納室に埋没されるようになる。このとき、圧力を受けて変形していた弾性ピストン２５が原状に復帰して突出部３３８に対して付勢力を行使するようになるので、これにより、収納室１３に収容された針セットが偏移状態になる。
また、傾斜突設部３３２の底縁が、注射筒の内壁から特定距離を保持するため、その偏移角度で、有効に距離を保って偏移することが達成されるので、針３１と注射筒１０内部の係合縁とが互いに係止されて、針３１が再び外部へ押されることはない。
【実施例２】
【００２０】
図６および図７に示すのは、本発明に係わる安全注射器の第２の実施例である。この第２実施例については、第１実施例との相違点は接合スリーブにあり、その他の構成は第１実施例と同様のため、同様の符号を付して、その説明は省略する。
【００２１】
図６に示すように、この第２実施例においては、針セットと注射筒１０との更なる安定的結合が強化される。
図７のように、第２実施例では、接合スリーブ３３ａの円筒状結合部３３１ａと傾斜突設部３３２ａとが当接する所に、外方へ突出する環状突出部３４ａが一体に配設されていて、接合スリーブ３３ａが突出穴１４に嵌入されると、環状突出部３４ａと、突出穴１４の壁縁の係合凹部１５とが互いに係合し合うので、接合スリーブ３３ａと突出穴１４との一層安定した結合状態が達成される。
【００２２】
本発明によれば、接合スリーブ３３が突出穴１４に嵌入された時に、漏斗状突出穴１４と、円筒状結合部と傾斜突設部とからなる漏斗状接合スリーブ３３の相互に対応する一体化構成により、接合スリーブの円筒状結合部３３１と傾斜突設部３３２との当接箇所と、突出穴１４のラッパ状の開口１４１とで、互いに適切に位置付けられると共に、組み立てもより正確且つ迅速に行なえる。
【図面の簡単な説明】
【００２３】
【図１】本発明の安全注射器の第１実施例を示す一部切欠き分解斜視図、
【図２】本発明の安全注射器の第１実施例を示す全体外観の断面図、
【図２Ａ】本発明の安全注射器の第１実施例を示す接合スリーブの底端にある斜錐面の断面図、
【図３】本発明の安全注射器の第１実施例を示す使用時の断面図、
【図４】本発明の安全注射器の第１実施例を示す針セットが引き戻される状態の断面図、
【図５】本発明の安全注射器の第１実施例を示す針セットが底端まで引き戻される時の偏移状態を示す断面説明図、
【図６】本発明に係わる安全注射器の第２の実施例の要部断面図、
【図７】本発明に係わる安全注射器の第２の実施例の接合スリーブの外観斜視                図である。
【符号の説明】
【００２４】
１０        注射筒
１１        收束部
１２        指保持部
１３        収納室
１４        突出穴
１４１      ラッパ状の開口
１５        係合凹部
２０        押圧レバー
２１        レバー体
２２        指押圧部
２３        結合部
２４        ほぞ
２５        弾性ピストン
３１        針
３２        針ベース
３２１      係合リング
３２２      雄ねじ
３３，３３ａ  接合スリーブ
３３１      円筒状結合部
３３２，３３２ａ  傾斜突設部
３３３      環状凹槽
３３４      収納部
３３５      係合部
３３６      貫通穴
３３７      雌ねじ
３３８      突出部
３４        Ｏリング
３４ａ      環状突出
３５        蓋体
Ａ         錐形状穴
Ｂ         係合機構
【図１】
0004598010.tif 000002
【図２】
0004598010.tif 000003
【図２Ａ】
0004598010.tif 000004
【図３】
0004598010.tif 000005
【図４】
0004598010.tif 000006
【図５】
0004598010.tif 000007
【図６】
0004598010.tif 000008
【図７】
0004598010.tif 000009